(57)【特許請求の範囲】
【請求項１】
多ディスク軸連結器用円錐状ねじ連結構造であって、
引張りボルト（１）と、
前記引張りボルト上に配置されかつ襟部（２）を有する第一スプリングコレット（３）と、
前記第一スプリングコレットによって支持されかつ襟部（４）を有する少なくとも一つの第二スプリングコレット（５）であって、前記多ディスク組のディスクは前記第二スプリングコレット上で固定可能であり、前記引張りボルト（１）と前記第一スプリングコレット（３）との間のシート部は円錐状であり、前記第一スプリングコレット（３）と前記第二スプリングコレット（５）との間のシート部は筒状である、第二スプリングコレット（５）と、
前記多ディスク組のディスクを軸方向に締め付ける引張り要素（７）とを有し、
前記引張りボルトは、ねじ（９）用ねじ付ボアホール（８）を有し、前記ねじ（９）の頭部（１０）が前記引張り要素（７）上で支持される、多ディスク軸連結器用円錐状ねじ連結構造において、
前記ねじを締めることによって、前記多ディスク組のディスクが軸方向に締め付けられ、前記スプリングコレット（３、５）が半径方向に広げられるように、前記引張りボルトと前記第一スプリングコレットとの間で圧力嵌め又は中間嵌め（１１）が形成されることを特徴とする、多ディスク軸連結器用円錐状ねじ連結構造。
【請求項２】
前記第一スプリングコレット（３）の挿入開口における筒状肩部（１２）と、前記引張りボルトの筒状襟部（１３）とによって、圧力嵌め又は中間嵌め（１１）が形成され、前記筒状肩部（１２）の内径は、前記引張りボルトの襟部（１３）の外径よりもわずかに小さいことを特徴とする請求項１に記載の円錐状ねじ連結構造。
【請求項３】
前記肩部（１２）の深さは、前記引張りボルトの前記襟部（１３）の幅と本質的に等しいことを特徴とする請求項２に記載の円錐状ねじ連結構造。
【請求項４】
前記引張り要素（７）は、基部（１４）と、前記基部の上方に突出しかつ、前記第二スプリングコレットの前記襟部（４）上又は前記第二スプリングコレットに付与される引張りリング（６）上で支持される襟部（１５）とを有し、前記襟部（１５）は、前記肩部（１２）の反対の前記第一スプリングコレット（３）の端部を半径方向クリアランスを有して包囲することを特徴とする請求項２又は３に記載の円錐状ねじ連結構造。
【請求項５】
前記第二スプリングコレット（５、１７）には引張りリング（６、１９）が付与され、前記多ディスク組のディスクは、前記第二スプリングコレット（５、１７）と各前記引張りリング（６、１９）との間で軸方向に固定可能であることを特徴とする請求項１〜４のいずれかに記載の円錐状ねじ連結構造。
【請求項６】
前記引張りボルトは、前記第一ねじ付ボアホール（８）と反対の端部上において別のねじ付ボアホール（１６）を有することを特徴とする請求項１〜５のいずれかに記載の円錐状ねじ連結構造。
【発明の詳細な説明】
【０００１】
【発明の属する技術分野】
本発明は、引張りボルトと、襟部を有しかつ引張りボルト上に配置される第一スプリングコレットと、襟部を有しかつ第一スプリングコレットによって支持される少なくとも一つの第二スプリングコレットであって、多ディスク組のディスクが第二スプリングコレット上で固定されることができ、引張りボルトと第一スプリングコレットとの間のシート部が円錐状であり、第一スプリングコレットと第二スプリングコレットとの間のシート部が筒状である、第二スプリングコレットと、多ディスク組のディスクを軸方向に締め付ける引張り要素とを有し、引張りボルトは、ねじ用ねじ付ボアホールを有し、このねじの頭部が引張り要素上に支持される、多数ディスク軸用円錐状連結に関する。
【０００２】
【従来の技術】
このような円錐状ねじ連結構造は、独国特許出願第１９６２５３１８号によって知られている。引張り要素は、ナットからなり、このナットは、第一スプリングコレットの一端部上に付与される外側ねじ部にねじ込まれ、軸方向に多ディスク組を締め付ける。ナットには、ナットを締めるための適切な工具が係合することができる溝部が外面において付与されている。さらに、ナットは、それを通してねじがガイドされるボアホールを有し、このねじは、引張りボルトのねじ付ボアホール内へねじ込まれることができ、ねじの頭部はナット上に支持される。ナットを締めることによって、第二スプリングコレットの襟部と各引張りリングとの間に配置される多ディスク組のディスクが軸方向に固定された後、引張りボルトのために付与されるねじは、別の工具で締められ、引張りボルトを第一スプリングコレット内へ引き、第一スプリングコレットを第二スプリングコレットのように伸張し、多ディスクのリングは、半径方向に締め付けられる。この円錐状ねじ連結構造は、実際に本質的に成功している。
【０００３】
【発明が解決しようとする課題】
本発明の目的は、ディスクの軸方向締め付け及び半径方向締め付けのために同工具を使用しながら、多ディスク組の最適な締め付けを可能とする円錐状ねじ連結構造を付与することである。
【０００４】
【課題を解決するための手段】
この目的は、ねじを締めることによって、多ディスク組のディスクが軸方向にまず締め付けられ、スプリングコレットが半径方向に広げられるように、圧力嵌め又は中間嵌めが引張りボルトと第一スプリングコレットとの間で形成されることによって、前文内に規定されているタイプの円錐状ねじ連結構造により実現されている。
【０００５】
本発明による円錐状ねじ連結構造は、引張りボルトのねじ付ボアホール内へねじ込まれるねじを締めることによって、ディスクは軸方向にまず締め付けられ、ディスクがきつく接触し、多ディスク組の最適な締め付けのための予め必要な状態となるということを特徴とする。次いで、同工具を用いてねじをさらに締めることによって、引張りボルトは第一スプリングコレット内へ引かれ、第一スプリングコレット及び第一スプリングコレット上に配置された第二スプリングコレットの両方が半径方向に広げられる。工具は交換される必要がないので、簡単な組立となる。
【０００６】
独国特許出願第１９６２５３１８号から公知の円錐状ねじ連結構造を比較して、本発明による円錐状ねじ連結構造は、ディスクを軸方向に締め付ける第一スプリングコレット及び引張り要素上にねじ部を設ける必要がないので、より低い製造コストによって特徴づけられている。本発明による円錐状ねじ連結構造を用いて、引張りボルトについて付与されているねじによって、引張り要素は、第二スプリングコレット又は引張りリングに関して軸方向に締め付けられることができる。
【０００７】
本発明による円錐状ねじ連結構造の圧力嵌め又は中間嵌めは、第一スプリングコレットの挿入開口における筒状肩部と、引張りボルト上の筒状襟部とによって、好ましくは形成され、筒状肩部の内径は引張りボルトの襟部の外径よりもわずかに小さい。この形状は簡単であり、比較的に安価に製造されることができる。
【０００８】
この筒状肩部の深さが引張りボルトの襟部の幅に本質的に等しいならば有利である。この状態では引張りボルトの端面が第一スプリングコレットの端面と面位置であるので、この形状において、スプリングコレットの最大の半径方向の広がりは、容易に理解されることができる。したがって、互いに関して端面の位置を監視することによって、定められた円錐状ねじ連結構造の締め付けが確定されることが保証されることができる。
【０００９】
好適な実施形態によれば、軸方向にディスクを締め付ける引張り要素は、基部と、基部を越えて突出する襟部とを有し、この襟部は、第二スプリングコレットの襟部又は各引張りリング上で支持され、この襟部は、半径方向クリアランスを有して第一スプリングコレットの端部を包囲する。
【００１０】
別の好適な実施形態によれば、第二スプリングコレットは、引張りリングを備えることができ、多ディスク組のディスクは、第二スプリングコレットの襟部と各引張りリングとの間で軸方向に固定されることができる。
【００１１】
本発明による円錐状ねじ連結構造の簡単な取外しのために、引張りボルトが、第一ねじ付ボアホールの反対の端部上に別のねじ付ボアホールを有することが有利である。二つのねじ付ボアホールは、好ましくは同じ寸法で形成される。第一スプリングコレット内で締め付けられる引張りボルトを取り外すために、ねじ付ボアホール内へねじ込まれるねじは、引張り要素と組み合わされて、反対のねじ付ボアホール内へねじ込まれることができ、引張り要素は、ねじと共に引き抜き工具として役立つ。
【００１２】
本発明は、一実施形態を示す図面を基に以下に詳細に説明される。
【００１３】
【発明の実施の形態】
円錐状ねじ連結構造は、引張りボルト１(tension bolt)と、引張りボルト１上に配置されかつ襟部２を有する第一スプリングコレット３とを有し、引張りボルト１と第一スプリングコレット３との間のシート部は円錐状である。第一スプリングコレット３は、円錐状側面を有し、軸連結器の連結フランジ（図示せず）のボアホール内へ挿入されている。第一スプリングコレット３の襟部２は、フランジと接触している。
【００１４】
第二スプリングコレット５及び第三スプリングコレット１７は、第一スプリングコレット３の筒状側面上に配置されており、第二スプリングコレット５及び第三スプリングコレット１７は、円錐状ねじ連結構造のきつく締められていない状態では、すなわち、第一スプリングコレット３は、引張りボルト１によって広げられていない限り、軸方向に移動可能である。第二スプリングコレット５及び第三スプリングコレット１７の各々は、それぞれ襟部４及び１８を有する。さらに、第二スプリングコレット５及び第三スプリングコレット１７の各々は、張力リング６及び１９を有する。ディスク（図示せず）のボアホールが第二スプリングコレット５及び第三スプリングコレット１７と型嵌め(form fitting)した状態でディスクが押圧される。円錐状ねじ連結構造が締め付けられていない状態において、第二スプリングコレット５及び第三スプリングコレット１７の筒状側面上のディスクは、軸方向クリアランスを有する。
【００１５】
第二スプリングコレット５上には、締め付けねじ１０が挿入されるボアホール２０を有する引張り要素７がある。締め付けねじ９が、引張りボルト１の中心軸内に形成されるねじ付ボアホール８内にねじ留めされる。引張り要素７の基部１４上で支持されるねじ９の頭部１０は襟部１５を有する。襟部１５は、半径方向クリアランスを有して第一スプリングコレット３を包囲し、第一スプリングコレット３は半径方向クリアランスを有して、第二スプリングコレット５と接触している。ねじ９を締めることによって、ディスクは、各スプリングコレット５、１７の襟部４、１８と、各引張りリング(tension ring)６、１９との間で軸方向に締め付けられ、第三スプリングコレット１７の襟部１８は、連結器（図示せず）の連結フランジ上で支持される。
【００１６】
第一スプリングコレット３の挿入開口上において筒状肩部１２が形成されており、引張りボルト１は、肩部１２において保持される筒状襟部１３を有するということが理解されることができる。筒状肩部１２の内径は、襟部１３の外径よりもわずかに小さい。したがって、本発明によれば、締め付けねじ９が締められる時、まず多ディスク組のディスクが軸方向に締め付けられ、次いで、半径方向に作用する圧縮力が生じ、スプリングコレット３、５、１７が半径方向に広げられるように、圧力嵌め又は中間嵌め１１が第一スプリングコレット３と引張りボルト１との間で形成される。この半径方向圧縮応力により、スプリングコレット３、５、１７とディスクとの間の全ての公差が補償され、各ねじの個所が補強される。
【００１７】
第一スプリングコレット内の筒状肩部１２の深さは引張りボルト１の襟部１３の幅に本質的に等しいことが図面により示されている。もし引張りボルト１の端面は第一スプリングコレット３と面位置であるならば、スプリングコレット３、５、１７の最大半径方向の広がりが実現される。こうして、円錐状ねじの締めの程度は、端面の相対位置に基づいて監視されることができる。
【００１８】
ねじ付ボアホール８に対向する端部において、引張りボルト１には、さらなるねじ付ボアホール１６が付与されている。二つのねじ付ボアホール８及び１６は、同じねじ直径であり、したがって、本質的に同じ深さである。第二ねじ付ボアホール１６は、円錐状ねじ連結を解放するのに役立つ。このようにするため、締め付けねじ９は緩められ、引張り要素７と組み合わされて、ねじ９は反対のねじ付ボアホール１６内へねじ込まれる。引張り要素７の襟部１５は、第一スプリングコレット３上に支持される。
【００１９】
本発明は、添付図面に示される実施形態に制限されない。むしろ、異なる変形例及び修正例が、基本的な修正においてすら本発明を用いて考えられる。したがって、例えば、各引張りリングを有する一つのさらなるスプリングコレットが、第一スプリングコレット３上に配置されることができる。
【図面の簡単な説明】
【図１】組み立てられた状態の、本発明による円錐状ねじ連結構造の長手方向断面を示し、備えつけられた多ディスク軸連結器のディスク又は連結フランジを示さない。
【符号の説明】
１…引張りボルト
２…襟部
３…第一スプリングコレット
４…襟部
５…第二スプリングコレット
７…引張り要素
８…ボアホール
９…ねじ
１０…頭部
１１…中間嵌め
【図１】
0004213321.tif 000002